(57)【要約】【課題】  野球などの応援用のグッズやその他を収納し、座席のクッションにも使用でき、応援メッセージや選手名を掲げる用具にもできる持ち運びの利便性のよい応援グッズを収納したカバンを提供する。【解決手段】  野球場などのスタンドの座席に載置できる大きさの表面部２と裏面部３を有し、これらの各壁面内部４にクッション材５を内装し、内壁面６に透明なプラスチックフィルム７からなる透明ポケット８を有し、表面部２と裏面部３とを結合する側面９と底面１０にファスナー１２を設けて表面部２と裏面部３をカバン本体に一体化可能とし、それぞれ上端部２ａ、３ａに表面部肩掛けベルト１３ａ、裏面部肩掛けベルト１３ｂを有し、これらのベルトは折り返し環１４と係止環１５からなるベルト長さ調節機能を有する応援グッズ用カバン１である。【選択図】      図５
0003112377.tif 000002
【実用新案登録請求の範囲】
【請求項１】
野球場などの競技場の観覧席のスタンドの座席の座板の大きさに載置できる大きさの対称形の表面部２と裏面部３とを有し、これらの表面部２と裏面部３の各壁面内部４にはウレタンスポンジなどの弾性のあるクッション材５を内装し、表面部２と裏面部３の各内壁面６には塩ビフィルムその他の透明なプラスチックフィルム７によりカバンとして収納しうる最大の大きさからなる透明ポケット８を形成し、表面部２の側方と裏面部３の側方に表面部２と裏面部３とを結合する側面９と底面１０からなるカバン側部１１を形成し、この表面部２の側面９の端部と底面１０の端部と裏面部３の側面９の端部と底面１０の端部にファスナー１２を設けて表面部２と裏面部３を係合によりカバン本体に一体化可能とし、表面部２の上端部２ａと裏面部３の上端部３ａにそれぞれ表面部肩掛けベルト１３ａ、裏面部肩掛けベルト１３ｂを設けたことを特徴とする応援グッズ用カバン１。
【請求項２】
表面部２の上端部２ａと裏面部３の上端部３ａにそれぞれ設けた表面部肩掛けベルト１３ａ、裏面部肩掛けベルト１３ｂは折り返し環１４と係止環１５からなるベルト長さ調節機能を有することを特徴とする請求項１に記載の応援グッズ用カバン１。
【考案の詳細な説明】
【技術分野】
【０００１】
この考案は野球やサッカーその他のスポーツの応援に出かけるときに荷物入れとして携行して行き、野球場のスタンドやサッカーのスタンドなどの応援席で使用する用具に関し、特にスタンドの座布団として使用したり、あるいは応援する選手の名前を入れて掲げるパネルとしたりできるスポーツなどの応援グッズ用カバンに関する。
【背景技術】
【０００２】
野球やサッカーその他のスポーツの応援では、ひいきの選手などを応援する際に、その選手の名前を掲げたり、応援メッセージを掲げて応援する。このため野球やサッカーその他のスポーツの応援に出かける際に、このような応援グッズを携行して行かねばならない。しかし、応援に行くためには、単に応援グッズだけではなく、おやつや弁当、その他タオルや座布団などを持参する。
【０００３】
これらのものを携行するとき、カバンに入れ、またカバンに入りきらないものは、別途に他の入れ物に収納しなければならない。しかし、カバンや入れ物の個数が増えると、携行しにくくなり、それらの手荷物の置き場所を確保する必要があり、また、置き忘れるなどすることがある。
【０００４】
従来、クッション性を有する本体部と、この本体部の周囲に設けられたシート状のヘリ部を備え、周囲に他のクッションへの連結部を有し、この連結部は複数のクッションのへり部同士が連結されるようにヘリ部の端縁に設けられており、複数個のクッションの連結・分離が容易とされている荷物を収納するバッグが提案されている（例えば、特許文献１参照。）。
【０００５】
さらに、封筒状のカバン本体に、相互の係着手段を利用して、弾性体を内蔵させたクッションが係着されて構成され、クッションは、係着されるカバン本体の外径と略同形状のシート状としているため、内容物を収納できる機能を損なわず、かつ、外観を良好にして、必要時にクッションを、カバン本体から取り外して座席に敷いて使用することができるクッション付きカバンが提案されている（例えば、特許文献２参照。）。
【０００６】
しかし、これらのものは単にクッションとカバンを併用したものであり、スポーツ選手を応援するための掲示板として利用できるものではなかった。
【０００７】
【特許文献１】実用新案登録第３０７９８７４号
【特許文献２】実開平７−３６７３１号公報
【考案の開示】
【考案が解決しようとする課題】
【０００８】
この考案が解決しようとする課題は、上記したように野球やサッカーその他のスポーツの応援に出かけるときに携行して持参する、応援のためのメッセージや選手名などを記載した紙板や、あるいはおやつや弁当あるいはタオルなどが収納でき、さらに嵩張る座布団を別途必要とせず兼用することで、１個のカバンに全ての応援グッズを収納可能として持ち運びの利便性を図ったカバンを提供することである。
【課題を解決するための手段】
【０００９】
上記の課題を解決するための本考案の手段は、請求項１の考案では、野球場などの競技場の観覧席のスタンドの座席の座板の大きさに載置できる大きさの対称形の表面部２と裏面部３とを有し、これらの表面部２と裏面部３の各壁面内部４にはウレタンスポンジなどの弾性のあるクッション材５を内装し、表面部２と裏面部３の各内壁面６には塩ビフィルムその他の透明なプラスチックフィルム７によりカバンとして収納しうる最大の大きさからなる透明ポケット８を形成し、表面部２の側方と裏面部３の側方に表面部２と裏面部３とを結合する側面９と底面１０からなるカバン側部１１を形成し、この表面部２の側面９の端部と底面１０の端部と裏面部３の側面９の端部と底面１０の端部にファスナー１２を設けて表面部２と裏面部３を係合によりカバン本体に一体化可能とし、表面部２の上端部２ａと裏面部３の上端部３ａにそれぞれ表面部肩掛けベルト１３ａ、裏面部肩掛けベルト１３ｂを設けたことを特徴とする応援グッズ用カバン１である。
【００１０】
請求項２の考案では、表面部２の上端部２ａと裏面部３の上端部３ａにそれぞれ設けた表面部肩掛けベルト１３ａ、裏面部肩掛けベルト１３ｂは折り返し環１４と係止環１５からなるベルト長さ調節機能を有することを特徴とする請求項１に記載の応援グッズ用カバン１である。
【考案の効果】
【００１１】
本考案の応援グッズ用カバンは、野球やサッカーその他のスポーツの応援に出かけるときに携行して持参することができ、応援のための応援メッセージや選手名などを記載した紙板類、その他おやつや弁当またはタオルなどが収納して持ち運びでき、応援時にファスナーを開いてカバンの左右の内壁面に有する透明ポケット内に応援用のメッセージや選手名などを記載した紙板を挿入し、これを掲げて応援でき、特に応援席が隣り合っている仲間同士で、複数個のカバンを開いて、個々の内壁面の透明ポッケとに応援メッセージの言葉の１字ずつを挿入して、これらを一斉に掲げて大きな応援メッセージとすることができ応援用に掲げて使用しないときは、カバンの表面部及び裏面部のそれぞれをスタンド上に置き、表面部及び裏面部に内蔵するクッションを利用することで楽に座ることができるなど、本考案の応援グッズ用カバンは優れた効果を奏するカバンである。
【考案を実施するための最良の形態】
【００１２】
本考案を実施するための最良の形態を図面を参照して説明する。図１は本考案の応援グッズ用カバン１の斜視図で、この応援グッズ用カバン１は、野球場やサッカー場などの競技場に応援に出かけるときに携行して持って行くカバンである。このカバンは、観覧席のスタンドの座席の座板の大きさに載置できる大きさの対称形の表面部２と裏面部３とを有する。これらの表面部２と裏面部３には、その表面にひいきチーム名１６などが記載されている。さらに、これらの表面部２と裏面部３のそれぞれの壁面内部４には、図６に示すように、ウレタンスポンジなどの弾性のあるクッション材５が内装されている。このクッション材５は応援グッズ用カバン１を空としたときにスタンドの座席に敷くことでクッションとすることができるものである。
【００１３】
図５に示すように、応援グッズ用カバン１の表面部２の内壁面６と裏面部３の内壁面６には、塩ビフィルムその他の透明なプラスチックフィルム７からなる透明ポケット８が形成されている。この透明ポケット８は内壁面６に可能な限り大きく形成されており、この透明ポケットの８の上部は挿入口として開放されている。この挿入口からは、応援する選手名あるいは応援メッセージの語句を書いた紙板を適宜差し替えながら挿入する。この場合、応援仲間の複数人で複数個の応援グッズ用カバン１を開いて、横に並べて掲げることで、遠方からでも見ることの可能な大きな応援メッセージを全体で表示することもできる。
【００１４】
上記のように応援グッズ用カバン１を開いて横に並べるために、この応援グッズ用カバン１は、表面部２と裏面部３とを結合する側面９と底面１０をそれぞれの表面部２と裏面部３の周辺に形成して有する。この実施の形態では、側面９と底面１０は円形に接続されているが、図示しないが、側面９と底面１０は丸みをもった角部とすることもできる。この表面部２の側面９の端部と底面１０の端部にファスナー１２を有し、さらに、このファスナー１２と噛み合う裏面部３の側面９の端部と底面１０の端部にファスナー１２を有する。これら表面部２の側のファスナー１２と裏面部３の側のファスナー１２の係合により応援グッズ用カバン１のカバン本体に一体化可能に形成されている。さらに、これらの応援グッズ用カバン１を携行し易くするために、表面部２の上端部２ａと裏面部３の上端部３ａにそれぞれ表面部肩掛けベルト１３ａと裏面部肩掛けベルト１３ｂをそれぞれ係止して取り付けている。
【００１５】
さらに、応援グッズ用カバン１に取り付けた表面部肩掛けベルト１３ａと裏面部肩掛けベルト１３ｂは、それぞれのベルトに折り返し環１４と係止環１５を有し、この折り返し環１４でベルトの先端部を折り返し、ベルトの中央部に通した係止環１５にベルト端部を係止し、折り返し環１４と係止環１５の間隔を調整することで、ベルト長さを調節するようにしている。もちろん、それぞれの表面部肩掛けベルト１３ａと裏面部肩掛けベルト１３ｂは一定の長さのベルトからなり、その長さ調節機能を省くこともできる。
【図面の簡単な説明】
【００１６】
【図１】本考案の応援グッズ用カバンの斜視図である。
【図２】本考案の応援グッズ用カバンの表面部側を示す図である。
【図３】本考案の応援グッズ用カバンの裏面部側を示す図である。
【図４】本考案の応援グッズ用カバンを開いて表面部側及び裏面部側の外表面を示す図である。
【図５】本考案の応援グッズ用カバンを開いて表面部側及び裏面部側の透明ポケットを有する内表面を示す図である。
【図６】本考案の応援グッズ用カバンの内部面を示す断面図である。
【図７】本考案の応援グッズ用カバンの側面図である。
【符号の説明】
【００１７】
１  応援グッズ用カバン
２  表面部
２ａ  上端部
３  裏面部
３ａ  上端部
４  壁面内部
５  クッション材
６  内壁面
７  プラスチックフィルム
８  透明ポケット
８ａ  挿入口
９  側面
１０  底面
１１  カバン側部
１２  ファスナー
１２ａ  ファスナー把持片
１２ｂ  ファスナー挿着具
１３ａ  表側肩掛けベルト
１３ｂ  裏側肩掛けベルト
１４  折り返し環
１５  係止環
１６  チーム名
【図１】
0003112377.tif 000003
【図２】
0003112377.tif 000004
【図３】
0003112377.tif 000005
【図４】
0003112377.tif 000006
【図５】
0003112377.tif 000007
【図６】
0003112377.tif 000008
【図７】
0003112377.tif 000009